(57)【要約】【課題】室内側熱交換器の熱交換の性能を低下させることなく小型化された、フィルタ清掃機構を備える空気調和装置の室内機を提供する。【解決手段】電装品箱４５は、吹出口７の上方に配置される。エアフィルタ３５ｂの掃除を行うための駆動力を供給する清掃機構駆動部１５ｃのフィルタ駆動用ローラ５２ｂは、電装品箱４５の上方に配置される。一般的に駆動力を供給するために大きくなりがちな清掃機構駆動部１５ｃの下方に電装品箱４５を配置する空間を設けることで、スペースを有効に活用する。その一方で、電装品箱４５のなくなった側方へ室内側熱交換器３６や吸込口６を広げ、熱交換性能の低下を抑制することができる。【選択図】図８
2010065893.tif 000002
【特許請求の範囲】
【請求項１】
吸込口（６）と前記吸込口の下方に配置された吹出口（７）とを有する本体（５）と、
前記吸込口の下流側に配置され、前記吸込口から吸い込まれた室内空気の塵埃を捕集するエアフィルタ（３６）と、
前記吹出口の上方に配置された電装品箱（４５）と、
前記電装品箱の上方に配置され、前記エアフィルタの掃除を行うための駆動力を供給する清掃機構駆動部（１５ｃ）と
を備える空気調和装置の室内機。
【請求項２】
前記吸込口は、前記本体の背面を除く全ての領域のうち正面視において前記清掃機構駆動部と重なる領域よりも上方に設けられている、請求項１に記載の空気調和装置の室内機。
【請求項３】
前記エアフィルタの下流側から前記電装品箱の背面部の近傍にまで延びる室内側熱交換器（３６）と、
前記電装品箱と前記清掃機構駆動部との間に配置され、前記エアフィルタの掃除により除去される塵埃を入れておくダストボックス（４９）と
をさらに備える、請求項１または請求項２に記載の空気調和装置の室内機。
【請求項４】
前記室内側熱交換器の下方に配置されるドレンパン（４４）と、
前記電装品箱の上面部から始まって前記背面部を覆い、前記電装品箱へと滴下する水滴を前記ドレンパンに導く防滴カバー（４６）と
をさらに備える、請求項３に記載の空気調和装置の室内機。
【請求項５】
前記清掃機構駆動部は、掃除のための駆動力を発生するフィルタ清掃用モータ（５６ａ，５６ｂ，５８）を、正面視において前記エアフィルタと重なる位置に有する、請求項１から４のいずれかに記載の空気調和装置の室内機。
【請求項６】
前記エアフィルタの下流側に配置されたクロスフローファン（４０）と、
前記エアフィルタに接して前記エアフィルタの塵埃を掻き落とすためのブラシ（４７）とをさらに備え、
前記本体は、前記吸込口から前記吹出口に至る通風路において高圧側と低圧側を形成するために、前記クロスフローファンの軸方向に沿って近接するように張り出した舌部をさらに有し、
縦断面視において前記吸込口の前端から前記舌部に延び前記舌部の表面と接する直線よりも前側に、前記エアフィルタと前記ブラシとの接点が配置されている、請求項２に記載の空気調和装置の室内機。
【請求項７】
前記掃除機構駆動部は、前記エアフィルタを移動させるフィルタ移動用ローラ（５２ａ，５２ｂ）を有し、前記フィルタ移動用ローラは、縦断面視において前記直線よりも前側に配置されている、請求項６に記載の空気調和装置の室内機。
【発明の詳細な説明】
【技術分野】
【０００１】
本発明は、空気調和装置の室内機に関し、特にエアフィルタを清掃する機構を備える空気調和装置の室内機に関する。
【背景技術】
【０００２】
空気調和装置の室内機は、本体ケーシング内に、室内側熱交換器を備えている。室内機は、室内の壁などに取り付けられるため、本体ケーシングの容積をできる限り小さくして小型化されることを要求される。一方、室内側熱交換器における熱交換の性能を上げるためには室内側熱交換器は大きい方がよい。そのため、従来から室内側熱交換器として、側面視において、前面側熱交換器と背面側熱交換器とを逆Ｖ字状に連結した熱交換器が用いられている。このような逆Ｖ字状の室内側熱交換器を備える室内機においては、室内側熱交換器に送風するための送風ファンとして、円筒状のクロスフローファンが逆Ｖ字状の室内側熱交換器に挟まれるように設けられる。この送風ファンにより、室内空気を本体ケーシング内に吸い込み、室内側熱交換器を通して本体ケーシング外に吹き出している（特許文献１）。
【０００３】
室内側熱交換器においては、送風ファンから送られてくる室内空気の加熱又は冷却によって空気の調和が行われる。そのため、この吸い込まれた室内空気に塵埃が含まれていると、熱交換器や送風ファンに塵埃が付着し、熱交換能力の低下や機器の故障の原因となる。そこで、空気調和装置の空気吸込口には、吸い込んだ空気に含まれる塵埃の侵入を防ぐため、エアフィルタが取り付けられている。
【０００４】
ところが、エアフィルタで塵埃を捕集すると、除去した塵埃はエアフィルタに溜まって徐々にエアフィルタが目詰まりして行くことになる。エアフィルタの目詰まりにより、送風ファンで熱交換器に送られる室内空気の量が減少したり、同じ量を送ろうとして送風ファンでの電力消費が大きくなったりする。そのような不具合を防ぐため、エアフィルタの清掃が必要になる。このエアフィルタの清掃の手間を省くため、ブラシによって自動的に塵埃を掃除するフィルタ清掃機構を設けた空気調和装置が提案されている（特許文献１）。
【０００５】
例えば、図２４及び図２５に示す室内機が従来のフィルタ清掃機構を備える室内機である。フィルタ清掃機構１０２は、室内機１００の上部から前面にかけて設けられ、フィルタ清掃機構１０２が有するフィルタ駆動用ローラ１０３は、ダストボックス１０４を挟んで吹出口１０５の直上に隣接して配置されている。
【特許文献１】特開２００８−５７８８３号公報
【発明の開示】
【発明が解決しようとする課題】
【０００６】
空気調和装置の室内機において、本体ケーシング内にフィルタ清掃機構を設けることで、室内機の小型化が難しくなり、ひいては室内側熱交換器の大きさも制限されることから室内側熱交換器の熱交換の性能を向上させることも難しくなる。
【０００７】
本発明の課題は、室内側熱交換器の熱交換の性能を低下させることなく小型化された、フィルタ清掃機構を備える室内機を提供することにある。
【課題を解決するための手段】
【０００８】
第１発明に係る空気調和装置の室内機は、本体とエアフィルタと電装品箱と清掃機構駆動部とを備えている。本体は、吸込口と吸込口の下方に配置された吹出口とを有する。エアフィルタは、吸込口の下流側に配置され、吸込口から吸い込まれた室内空気の塵埃を捕集する。電装品箱は、吹出口の上方に配置されている。清掃機構駆動部は、電装品箱の上方に配置され、エアフィルタの掃除を行うための駆動力を供給する。
【０００９】
本発明によれば、吹出口の上方に電装品箱を、さらにその上方に清掃機構駆動部を配置することにより、一般的に駆動力を供給するために比較的大きな奥行きを必要とする清掃機構駆動部の下方に電装品箱を配置する空間を設けている。それにより、比較的大きな容積を占める電装品箱を、清掃機構駆動部の下方の空間を活用して収納でき、スペースの有効活用ができる。一方、清掃機構駆動部が上方へ移動することで室内機高さ方向にエアフィルタを縮小しなければならなくなって前面の吸込口が小さくなり、あるいは前面に吸込口が設けられなくなり、それに伴って室内側熱交換器で熱交換される室内空気の割合が高さ方向で減少することになる。このような清掃機構駆動部の移動によって前面における吸込口の減少を、電装品箱のなくなった室内機側方に吸込口や室内側熱交換器を広げることで、室内空気を熱交換する室内側熱交換器の有効面積を広げ、熱交換の性能の低下を抑制することができる。
【００１０】
第２発明に係る空気調和装置の室内機は、第１発明の空気調和装置の室内機であって、吸込口は、本体の背面を除く全ての領域のうち正面視において清掃機構駆動部と重なる領域よりも上方に設けられている。
【００１１】
本発明によれば、清掃機構駆動部よりも上方に吸込口があるため、室内空気を吸込む際、清掃機構駆動部が通風の邪魔にならず、吸込口から吸込まれる室内空気の通風抵抗の増加を抑制できる。
【００１２】
第３発明に係る空気調和装置の室内機は、第１発明または第２発明の空気調和装置の室内機であって、室内側熱交換器とダストボックスとをさらに備えている。室内側熱交換器は、エアフィルタの下流側から電装品箱の背面部の近傍にまで延びている。エアフィルタの掃除により除去される塵埃を入れておくダストボックスは、電装品箱と清掃機構駆動部との間に配置される。
【００１３】
本発明によれば、室内側熱交換器の近傍に配置されることにより促される電装品箱における結露をダストボックスの断熱効果により抑制することができる。
【００１４】
第４発明に係る空気調和装置の室内機は、第３発明の空気調和装置の室内機であって、ドレンパンと防滴カバーとをさらに備えている。ドレンパンは、室内側熱交換器の下方に配置される。防滴カバーは、電装品箱の上面部から始まって背面部を覆い、電装品箱へと滴下する水滴をドレンパンに導く。
【００１５】
本発明によれば、清掃機構駆動部やダストボックスなどを伝って電装品箱に水滴が滴下するのを防滴カバーで防ぐことができる。
【００１６】
第５発明に係る空気調和装置の室内機は、第１発明から第４発明のいずれかの空気調和装置の室内機であって、清掃機構駆動部は、掃除のための駆動力を発生するためのフィルタ清掃用モータを、正面視においてエアフィルタと重なる位置に有する。
【００１７】
本発明によれば、フィルタ清掃用モータを正面視においてエアフィルタと重なる位置に配置することにより、本体幅方向の長さをフィルタ清掃用モータの分だけ短くできる。その上、電装品箱とフィルタ清掃用モータの距離が近くなり、配線が行いやすくなる。特に、フィルタ清掃用モータを電装品箱の直上に設ける場合に効果的である。
【００１８】
第６発明に係る空気調和装置は、第２発明の空気調和装置の室内機であって、クロスフローファンとブラシとをさらに備えている。ブラシは、エアフィルタに接してエアフィルタの塵埃を掻き落とす。クロスフローファンは、エアフィルタの下流側に配置されている。本体は、吸込口から吹出口に至る通風路において高圧側と低圧側を形成するために舌部をさらに有している。この舌部は、クロスフローファンの軸方向に沿って近接するように張り出している。縦断面視において、吸込口の前端から舌部に延び舌部の表面と接する直線よりも前側に、エアフィルタとブラシとの接点が配置されている。
【００１９】
本発明によれば、室内空気の流れの強い部分から弱まって行く箇所に、吸込口の前端から舌部に延び舌部の表面と接する直線がほぼ一致することから、エアフィルタとブラシの接点がこの直線よりも前側にあることで、室内空気の強い流れの外にエアフィルタとブラシの接点が存在することになる。それにより、ブラシで掻き落とされる塵埃が熱交換器やクロスフローファンに吸込まれるのを抑制できる。また、ブラシが吸込口から吸い込まれた室内空気の通風抵抗となるのを防止できる。
【００２０】
第７発明に係る空気調和装置は、第６発明の空気調和装置の室内機であって、清掃機構駆動部は、エアフィルタを移動させるフィルタ移動用ローラを有している。フィルタ移動用ローラは、縦断面視において直線よりも前側に配置されている。
【００２１】
本発明によれば、室内空気の流れの最下部とほぼ一致する直線よりも前側にあることで、フィルタ移動用ローラが吸込口から吸い込まれた室内空気の通風抵抗となるのを防止できる。
【発明の効果】
【００２２】
第１発明に係る空気調和装置の室内機では、清掃機構駆動部の下方に電装品箱を配置することによる清掃機構駆動部の下方の空間の有効活用により、熱交換の性能を落とすことなく、室内機の小型化を図ることができる。
【００２３】
第２発明に係る空気調和装置の室内機では、通風抵抗の増加を抑え、熱交換性能の低下を抑制することができる。
【００２４】
第３発明に係る空気調和装置の室内機では、ダストボックスを電装品箱と清掃機構駆動部との間に配置することで、電装品箱に結露による不具合が生じるのを抑制することができる。
【００２５】
第４発明に係る空気調和装置の室内機では、清掃機構駆動部やダストボックスからの水滴の滴下に起因する電装品箱における漏電や誤動作を防止することができる。
【００２６】
第５発明に係る空気調和装置の室内機では、本体幅方向の長さを短縮でき小型化に寄与する上、フィルタ清掃用モータと電装品箱との配置関係から室内機の配線が容易になる。
【００２７】
第６発明に係る空気調和装置の室内機では、エアフィルタからブラシで掻き落とされる塵埃による不具合の発生を抑制できる。また、ブラシを設けることによる通風抵抗の増加を抑え、熱交換性能の低下を抑制できる。
【００２８】
第７発明に係る空気調和装置の室内機では、フィルタ移動用ローラによる通風抵抗の増加を抑え、熱交換性能の低下を抑制できる。
【発明を実施するための最良の形態】
【００２９】
以下図面を参照しながら、本発明の一実施形態について説明する。なお、以下の実施形態は、本発明の具体例であって、本発明の技術的範囲を限定するものではない。
【００３０】
＜空気調和装置の構成の概要＞
図１は、本発明の一実施形態に係る室内機を含む空気調和装置の全体構成を示す概略図である。空気調和装置１は、室内の壁に取り付けられる室内機２と、室外に設置される室外機３とを備えている。室内機２と室外機３とは、冷媒配管、加湿ホース、伝送線及び通信線などを集合した集合連絡管４によって接続されている。熱交換の面から空気調和装置１を見ると、例えば、室内機２の室内側熱交換器（冷房時は蒸発器／暖房時は凝縮器）及び、室外機３の圧縮機と室外側熱交換器（冷房時は凝縮器／暖房時は蒸発器）と膨張弁などが、集合連絡管４の中を通る冷媒配管で連結されて冷媒回路を構成している。一方、制御の面から空気調和装置１を見ると、リモートコントローラなどの制御端末から指令を受けて室内機２のファンモータなどの室内側機器を制御するための電装品箱が室内機２に設けられ、室外機３のファンモータなどの室外側機器を制御するための電装品箱が室外機３に設けられている。そして、室内機２の電装品箱と室外機３の電装品箱とが集合連絡管４の中を通る伝送線で接続されている。
【００３１】
＜空気調和装置の室内機の構成＞
（室内機の正面構成）
図２は、本発明の一実施形態に係る空気調和装置の室内機の正面図である。室内機２は、本体ケーシング５の上部に吸込口６、下部に吹出口７を備え、前面が前面パネル８で覆われている。そのため、前面から室内空気の吸い込みは行われず、室内機２はもっぱら本体ケーシング５の上部から室内空気の吸い込みを行っており、室内空気の循環は室内機２の天面５ａの側から室内機２の底面５ｃの側に向けて行われる。吹出口７には、運転停止時に閉じ、運転時に開く、２枚の風向調節羽根９が設けられている。この風向調節羽根９によって室内機２の上下方向の風向きを調節している。図２は、運転停止状態を示しており、吹出口７の開口部が風向調節羽根９で閉じられている状態を示している。なお、前面パネル８は、パネル上部８ａ近傍の支点を中心に回動自在に本体ケーシング５に取り付けられている。
【００３２】
前面パネル５の直ぐ下の吹出口７の上辺に沿って、表示用LED１０が並び、受信部１１などが設けられている。このように、室内機２の幅方向のほぼ中央部に集中して、表示機能や制御に必要なセンシング機能が配置されている。表示用LED１０などの電気部品は後述する電装品箱に接続される。
【００３３】
図３は、図２の室内機の前面パネル８を外した状態で、正面から向かって右斜め上（C方向）から見た状態を示す斜視図である。また、図４は、図２の室内機の前面パネルを外した状態で、正面から向かって右斜め下（Ｄ方向）から見た状態を示す斜視図である。図３及び図４に示すように、室内機２の天面５ａ、前面５ｂ、底面５ｃ及び側面５ｅが、本体ケーシング５の一部をなすプラスチック製の前面グリル１２で覆われている。前面パネル８の裏側に当たる前面グリル１２の前部には、表示パネル１３が設けられている。表示パネル１３は電装品箱に接続されているが、電装品箱は、表示パネル１３の裏側に配置されているため、前面グリル１２に隠れて図３及び図４には表れていない。表示パネル１３の表示は、表示パネル１３が前面パネル８で覆われた状態で、前面パネル８を透かして、前面側から室内機２を操作する使用者に見えるようになっている。
【００３４】
表示パネル１３の上方、換言すると電装品箱の直上に、室内機２の幅方向に細長く延びるフィルタ清掃部材１４が配置されている。フィルタ清掃部材１４は、後述するブラシを保持しており、ブラシによって後述するエアフィルタに付着した塵埃を掻き落としてエアフィルタの掃除を行う。図３及び図４には、エアフィルタを取り外した状態が示されている。
【００３５】
フィルタ清掃部材１４の上には、エアフィルタを保持すると共に清掃のためにエアフィルタを駆動するフィルタ清掃機構１５が配置されている。エアフィルタはフィルタ清掃機構１５のフレーム１６を構成するアーム１７の案内溝１７ａ，１７ｂに保持されており、案内溝１７ａ，１７ｂに沿って移動する。フィルタ清掃機構１５は、本体ケーシング５の開口部１９ａ，１９ｂにおいて露出しており、前面パネル８を開いた状態で、エアフィルタの取替えができるように構成されている。また、フィルタ清掃部材１４は、スライド式のロック部材１８ａ，１８ｂ，１８ｃ，１８ｄでフィルタ清掃機構１５のフレーム１６に着脱自在に固定される。メンテナンスの際には、このロック部材１８ａ，１８ｂ，１８ｃ，１８ｄによるフィルタ清掃部材１４とフィルタ清掃機構１５のフレーム１６への固定を解いて本体ケーシング５の前面５ａの側にフィルタ清掃部材１４を引き出すことができるよう構成されている。フィルタ清掃部材１４は、本体ケーシング５との関係では、本体ケーシング５の凹部に載置されているだけであり、本体ケーシング５に固定されてはいない。ロック部材１８ａ，１８ｂ，１８ｃ，１８ｄは、室内機２の中央へ向けて滑らせるとロックされ、側方に向けて滑らせるとロックが解除されるように設定されている。従って、図３において、ロック部材１８ａ，１８ｃはロックしている状態にあり、ロック部材１８ｂ，１８ｄはロックを解除した状態にある。
【００３６】
フィルタ清掃部材１４と並べて、正面から見て本体ケーシング５の左側に、加湿ダクト２０が形成されている。図４には、加湿ダクト２０のフィルタケース２１が見えている。
【００３７】
（本体ケーシングの構造）
次に、図５から図７を用いて本体ケーシングの前面グリルについて説明する。図５は本体ケーシングの一部を構成する前面グリルの正面図、図６は前面グリルの平面図及び、図７は前面グリルの側面図である。既に説明したように、本体ケーシング５の前面５ｂには、前面パネル８が取り付けられる。前面グリル１２の前部には、エアフィルタ（後述）等のメンテナンスをするための２つの開口部１９ａ，１９ｂがある。前面グリル１２の前部から一段背面側に下がったところにストライプ状の凹凸が並ぶ装飾部２５が形成されているので、前面グリル１２に前面パネル８が取り付けられても、開口部１９ａ，１９ｂの上部は前面パネル８によって塞がれず、開口部１９ａ，１９ｂの上部が副吸込口６ｂとなる。前面グリル１２の天面５ａには、主吸込口６ａが形成されている。副吸込口６ｂは、主吸込口６ａに比べると一段下方に下がった位置に形成されているが、室内機２の上方に向かって設けられており、機能的には副吸込口６ｂも主吸込口６ａと同等であって、天面５ａに設けられているものということができる。主吸込口６ａには、ビーム２６が渡されている。前後に延びるビーム２６は、前面グリル１２の剛性を補強する以外に、主吸込口６ａの下方に位置するエアフィルタの支持枠を押さえてエアフィルタの保持を助ける機能も有している。
【００３８】
なお、エアフィルタは、開口部１９ａ，１９ｂの横幅よりも少し短い長方形状をしているが、エアフィルタと本体ケーシング５との間には、フィルタ清掃機構１５のフレーム１６などがあってエアフィルタと本体ケーシング５との間は塞がっている。そのため、主吸込口６ａ及び副吸込口６ｂから吸い込まれる室内空気は全てエアフィルタを通過することとなる。
【００３９】
前面グリル１２の開口部１９ａ，１９ｂの下には、凹部２７が形成されている。この凹部２７には、既に説明したようにフィルタ清掃部材１４が嵌め込まれる。ところで、凹部２７にフィルタ清掃部材１４が載置されるだけであるため、前面グリル１２からフィルタ清掃部材１４には前面グリル１２の振動は伝わり難くなっている。フィルタ清掃部材１４は、ブラシが取り付けられたブラシ側部材と、ブラシが掻き落とした塵埃を入れておくダストボックスとを有するが、その構成については後述する。また、凹部２７には、開口部２８が形成されている。この開口部２８を通じてフィルタ清掃機構１５とフィルタ清掃部材１４とが連結される。また、この開口部２８において、フィルタ清掃機構１５の駆動ギアとフィルタ清掃部材１４の被駆動ギアが噛み合って、フィルタ清掃機構１５からフィルタ清掃部材１４に駆動力が伝達される。そして、フィルタ清掃部材１４の被駆動ギアとともにブラシが回転させられる。凹部２７にあるネジ穴２９は、フィルタ清掃機構１５を前面グリル１２にネジで固定するためのものである。
【００４０】
前面グリル１２の凹部２７の下には、図３や図４に示した表示パネル１３が嵌め込まれる開口部３０が形成され、開口部３０の下には表示用LED１０などの制御用電気部品のための複数の窓３１が幅方向に並んで形成されている。開口部３０や窓３１の下に、吹出口７を構成する開口部３２が形成されている。また、開口部３０と同じ高さくらいのところに開口部３０と並んで正面左側に、加湿ダクト２０のフィルタカセット２１のための取り出し口３３が設けられている。
【００４１】
（室内機の縦断面構造）
図８は、図２のＡ−Ａ線における室内機の断面の概略を示す図であり、図９は、図２のＢ−Ｂ線における室内機の断面の概略を示す図である。図８及び図９に示すように、本体ケーシング５の天面５ａの主吸込口６ａ及び副吸込口６ｂの下流側には、主吸込口６ａ及び副吸込口６ｂの全面に対向して２枚のエアフィルタ３５ａ，３５ｂが配置されている。図８に示すエアフィルタ３５ａが本体ケーシング５の幅方向の左半分を分担し、図９に示すエアフィルタ３５ｂが本体ケーシング５の幅方向の右半分を分担している。エアフィルタ３５ａ，３５ｂのさらに下流側には室内側熱交換器３６が配置されている。吸込口６を通過して室内側熱交換器３６に到達する室内空気は全てエアフィルタ３５ａ，３５ｂを通過して塵埃の除去を受ける。
【００４２】
室内側熱交換器３６は、前面側熱交換器３６ａと背面側熱交換器３６ｂとを側面視において逆Ｖ字状になるように連結して構成されている。天面５ａから見る平面視において、前面側熱交換器３６ａが主吸込口６ａのほぼ前面側半分に対向する位置に配置され、背面側熱交換器３６ｂがほぼ背面側半分に対向する位置に配置されている。そのため、副吸込口６ｂを含めた吸込口６の全体で見ると、前面側熱交換器３６ａと背面側熱交換器３６ｂの接続部は、室内機２の背面５ｄに寄っている。また、前面側熱交換器３６ａは、上部前面側熱交換器３６ａａと下部前面側熱交換器３６ａｂとからなる。前面側熱交換器３６ａは、主吸込口６ａの直下のエアフィルタ３５ａ，３５ｂの近傍から吹出口７の吹出通路７ａの上壁７ａａの近傍まで延びており、エアフィルタ３５ａ，３５ｂの近傍から吹出口７の吹出通路７ａの上壁７ａａの近傍までのほぼ上半分を占める上部に上部前面熱交換器３６ａａがあり、ほぼ下半分を占める下部に下部前面熱交換器３６ａｂがある。前面側熱交換器３６ａも背面側熱交換器３６ｂも、熱交換パイプ３８に多数のプレートフィン３７を室内機２の幅方向に平行に並べて取り付けることにより構成されている。吸込口６から吸込まれ、エアフィルタ３５ａ，３５ｂを通過した室内空気がプレートフィン３７の間を通り抜ける際に熱交換が生じて空気調和が行われる。そのため、室内空気はプレートフィン３７近傍では、プレートフィン３７の面に平行な流れを生じやすく面に垂直な方向の流れを生じ難い。
【００４３】
室内側熱交換器３６の上流側に、前面側熱交換器３６ａに隣接して補助熱交換器３９が設けられている。正面視において補助熱交換器３９は、図９に示す加湿ダクト２０と重ならないように加湿ダクト２０よりも上に設けている。これにより、加湿ダクト２０から供給される加湿空気と室内空気との空気調和の仕方を異ならせることができる。補助熱交換器３９は、凝縮器として機能させるか蒸発器として機能させるかを、室内機２に設けられている第１電磁弁によって切り替えることができる。再熱除湿運転時には、補助熱交換器３９を凝縮器として利用する一方、室内側熱交換器３６を蒸発器として利用して温度の低下を防ぎながら除湿を行う。また、補助熱交換器３９を室内側熱交換器３６と同じように蒸発器として利用する場合には、熱交換に寄与する面積を増加させることができる。
【００４４】
室内側熱交換器３６と補助熱交換器３９に冷媒を熱交換パイプ３８で並列に供給しているため、第２電磁弁によって室内側熱交換器３６及び補助熱交換器３９に流れる冷媒の量を上部と下部とで異ならせることができる。それにより、室内側熱交換器３６の下部の機能を落としても十分に空気調和ができるときには、室内側熱交換器３６の上部を用いて、効率よく熱交換を行わせることができる。また、第１電磁弁と第２電磁弁によって、室内側熱交換器３６と補助熱交換器３９の使用状態を、加湿ダクト２０の使用の有無との組み合わせに対応して使い分けることもでき、多様な運転が可能になる。なお、第１及び第２電磁弁８５は、室内機２の側方に配置される（図２１参照）。
【００４５】
室内側熱交換器３６の下流側には、略円筒形状のクロスフローファン４０が本体ケーシング５の幅方向に沿って長く延び、室内側熱交換器３６と共に本体ケーシング５の幅方向と平行に設けられている。クロスフローファン４０は、逆Ｖ字状の室内側熱交換器３６に挟まれるように囲まれている。クロスフローファン４０は、本体ケーシング５の天面５ａから見る平面視において、前面側熱交換器３６ａ及び背面側熱交換器３６ｂとほぼ同じ割合で重なる位置に配置されており、正面５ｂから見る正面視において、上部前面側熱交換器３６ａａの下側の一部及び下部前面側熱交換器３６ａｂと重なる位置に配置されている。また、正面視において、クロスフローファン４０は、加湿ダクト２０よりも上方に飛び出るように配置されている。このクロスフローファン４０は、図８及び図９において時計回りに回転して気流を発生させる。
【００４６】
クロスフローファン４０の下流の吹出通路７ａは、背面側をスクロール部材４１で構成されている。スクロール部材４１は、正面視において、本体ケーシング５の吹出口７の開口部３２とほぼ同じ幅を有している。スクロール部材４１の上端はクロスフローファン４０の上端よりも上に位置し、側面視において、円筒状のクロスフローファン４０の中心軸よりも背面側にずれた位置から始まっている。スクロール部材４１の下端は、吹出口７の開口部３２に連結される。スクロール部材４１の案内面４１ａは、断面視において、クロスフローファン４０の側に曲率中心を持つ滑らかな曲線の形状を呈しており、案内面４１aの上部はクロスフローファン４０に最も近い近傍に配置され、下に行くに従って徐々にクロスフローファン４０から離れるように配置されている。吹出通路７ａの上壁７ａａの上端には、断面く字型の表面を有する舌部４２が設けられている。舌部４２の表面のうちクロスフローファン４０の近傍に設けられている表面４２ａは、クロスフローファン４０を挟んでスクロール部材４１の案内面４１ａと対向している。舌部４２の表面４２ａとスクロール部材４１の案内面４１ａで形成される開口部は、図８及び図９の断面図において左斜め上方を向いている。クロスフローファン４０が吸い込むクロスフローファン４０近傍の室内空気の流れの方向は、スクロール部材４１と舌部４２が構成する開口部に左右される。それゆえ、クロスフローファン４０から吹き出された室内空気は、吹出流路７ａを通り吹出口７から吹き出されるのであるが、風向調節羽根９，４３によって吹き出す方向を調節される。クロスフローファン４０に近い風向調節羽根４３によって室内機２の正面から見た左右の吹出し方向が調節され、吹出口７にある風向調節羽根９によって上下の吹出し方向が調節される。
【００４７】
吹出口７の上壁７ａａの上方には、前面側熱交換器３６ａで結露した水滴を受けるドレンパン４４が配置されている。また、ドレンパン４４を構成している部材によって下部前面側熱交換器３６ａｂの下端が支持されており、ドレンパン４４は、室内側熱交換器３６の固定に役立っている。
【００４８】
図８に示すように、吹出口７の上壁７ａａの上には、上壁７ａａに一部接するように、電装品箱４５が配置されている。電装品箱４５の下端はドレンパン４４よりも下にあるが、電装品箱４５の上端はドレンパン４４よりも上にあり、電装品箱４５は、ドレンパン４４の近傍、言い換えると下部前面側熱交換器３６ａｂの近傍に位置する。電装品箱４５の前面は前面グリル１２に沿って当接するように配置されている。電装品箱４５は、その上面から背面にかけてプラスチック製の防滴カバー４６で覆われている。この防滴カバー４６は、電装品箱４５の上面から始まってドレンパン４４を構成する部材の中まで延びており、滴下してきた水滴をドレンパン４４に導くことができる。電装品箱４５の背面側にプリント配線基板４５ａが固定され、プリント配線基板４５ａの上には各種の電気部品が実装されているが電気部品の図示は省略している。
【００４９】
図８に示す電装品箱４５の上の凹部２７に取り付けられているフィルタ清掃部材１４は、ブラシ４７を保持するブラシ側部材４８と、ブラシ４７によって掻き落とされた塵埃を入れておくダストボックス４９とを組み合わせて構成されている。フィルタ清掃部材１４の下部の奥行き（室内機２の前後方向の長さ）は、電装品箱４５の上部の奥行きとほぼ同じになっている。ブラシ４７は、プラスチック製の直毛が放射状に伸びるように形成されており、図８の断面図において、ブラシ４７は半時計回りに回転する。このブラシ４７の下から斜め前方に向けて櫛部の歯５０が挿入されている。また、櫛部の歯５０の直下に塵埃をダストボックス４９に押し込むためのプラスチック製の円柱状の棒状部材５１が設けられている。円柱状の棒状部材５１の表面にらせん状の突起がついており、円柱状の棒状部材５１がブラシ４７と共に回転することにより、櫛部の歯５０が梳き落とした塵埃をダストボックス４９に押し込むことができる。それにより、ダストボックス４９に蓄積される塵埃を圧縮し、ダストボックス４９に溜まった塵埃の廃棄回数を減らすことができる。
【００５０】
フィルタ清掃部材１４の上であって、フィルタ清掃部材１４のブラシ４７がエアフィルタ３５ａ，３５ｂに接するようにフィルタ清掃機構１５が取り付けられている。フィルタ清掃機構１５の２本のフィルタ駆動用ローラ５２ａ，５２ｂは、エアフィルタ３５ａ，３５ｂを挟んでブラシ４７に対向する位置に取り付けられている。図８に示されているのが一方のフィルタ駆動用ローラ５２ｂであり、図９に示されているのがもう一方のフィルタ駆動用ローラ５２ａである。フィルタ駆動用ローラ５２ａ，５２ｂは、両端部にピニオンギアが形成されており、このピニオンギアをエアフィルタ３５ａ，３５ｂの両端部に形成されているラックギアと噛み合わせるとことでエアフィルタ３５ａ，３５ｂの移動を行う。
【００５１】
エアフィルタ３５ａ，３５ｂは、フィルタ清掃機構１５のアーム１７やブレード５３によって案内される。このアーム１７は、前面パネル８の上部、その前面パネル８から少し背面側に後退して設けられている装飾部２５及び天面５ａの近傍に沿ってなだらかに湾曲する曲線を描く上側案内溝１７ａと、上側案内溝１７ａの下に設けられたもう一本の下側案内溝１７ｂとを備えている。上側案内溝１７ａと下側案内溝１７ｂの間隔は、最も広いところで、フィルタ駆動用ローラ５２ａ，５２ｂのピニオンギアの歯先円の外径より少し広くなっている。室内空気の塵埃を除去するときには、フィルタ清掃機構１５は、上側案内溝１７ａに位置するようにエアフィルタ３５ａ，３５ｂを保持する。エアフィルタ３５ａ，３５ｂを掃除するときには、フィルタ清掃機構１５は、フィルタ駆動用ローラ５２ａ，５２ｂの外周に巻き込むようにしてエアフィルタ３５ａ，３５ｂをＵターンさせる。Ｕターンさせることにより、フィルタ駆動用ローラ５２ａは、エアフィルタ３５ａ，３５ｂの移動方向を下向きから上向きに変え、下側案内溝１７ｂにエアフィルタ３５ａ，３５ｂを導く。エアフィルタ３５ａ，３５ｂをＵターンさせながらブラシ４７で塵埃を掻き落とすので、フィルタ清掃機構１５の長さを短くできる一方、フィルタ駆動用ローラ５２ａ，５２ｂの径の分だけフィルタ清掃機構１５の厚みが増す。
【００５２】
吹出口７の上壁７ａａの上には、図９に示すように、加湿ダクト２０が配置されている。図９の加湿ダクト２０の位置を、図８の電装品箱４５の位置と比較して分かるように、側面視において、加湿ダクト２０が電装品箱４５とほぼ重なる位置に配置されている。加湿ダクト２０には、加湿された外気の流路となる空洞部５４が形成され、空洞部５４の上部に、加湿された外気の給気口５５が形成されている。給気口５５は、下部前面側熱交換器３６ａｂとの間に所定長さの空間ができるように配置されている。それにより、給気口５５から給気される加湿空気が室内機３の幅方向に広がるよう設定されている。空洞部５４は、プレフィルタ２１により仕切られており、給気口５５から本体ケーシング５の内部に給気される外気は全てプレフィルタ２１を通過する。そのため、エアフィルタ３５ａ，３５ｂを給気口５５の前に配置する必要がなくなり、エアフィルタ３５ａ，３５ｂの配置領域を狭くできる。プレフィルタ２１は、室内機２の前面５ａの下方から背面側上方に向かって抜き差し自在に構成されている。
【００５３】
（吸込口と舌部との位置関係）
次に、図８を用いて、吸込口と舌部との位置関係を説明する。縦断面視において、舌部４２の上面４２ａのうち吸込口６に最も近いところと、吸込口６のうちもっとも前面に近くかつ最も下方にあるところとを直線で結ぶ。この結ばれた直線を符号Ｌ１で示すとすると、この直線Ｌ１より前方の領域は比較的室内空気の風量が少なく、直線Ｌ１より前方に存在する空気が室内機２の空気調和に寄与する割合が小さくなっている。そのため、直線Ｌ１より前方に配置されている部材は、空気調和を妨げ難いということになる。フィルタ清掃部材１４は、この直線Ｌ１よりも前方にあるため、通風抵抗の増加に寄与しない。同様に、清掃機構駆動部１５ｃのフィルタ駆動用ローラ５２ｂも直線Ｌ１よりも前方にあるため空気調和の妨げとなることはない。
【００５４】
フィルタ駆動用ローラ５２ｂが直線Ｌ１よりも前方にあることから、縦断面視におけるブラシ４７とエアフィルタ３５との接点８２が直線L１よりも前方に位置する。なお、ブラシ４７がプラスチック製の直毛で形成されていることから、点で接触するわけではなく、ここでいう接点８２は、文字どおりの接点ではなくて接触している部位程度の意味である。接点８が直線Ｌ１より前にあるので、接点８２付近では気流が弱く、ブラシ４７で落とされた塵埃が飛散し難くなっている。逆に言うと、このように埃が飛散し難い設定とするために、フィルタ清掃部材１４から下方では室内空気の流れが弱くなっている。
【００５５】
（フィルタ清掃機構）
ここでは、図８及び図９に示したフィルタ清掃機構１５について説明する。図１０がフィルタ清掃機構の正面図、図１１がフィルタ清掃機構の左側面図、及び図１２がフィルタ清掃機構の底面図である。また、フィルタ清掃機構の清掃機構駆動部とエアフィルタの関係を図１３に示す。
【００５６】
フィルタ清掃機構１５は、図１３に示す２枚のエアフィルタ３５ａ，３５ｂを保持するため、左右２つの保持部１５ａ，１５ｂを備えている。エアフィルタ３５ａ，３５ｂは、フィルタリングのために室内空気を通過させるフィルタ部３５ａｂを細い支持枠３５ａａで支持している。図８及ぶ図９を用いて既に説明したように、図１３に示すこれらエアフィルタ３５ａ，３５ｂを駆動するためのフィルタ駆動用モータ５６ａ，５６ｂとフィルタ駆動用ローラ５２ａ，５２ｂが清掃機構駆動部１５ｃを構成している。プラスチック製のエアフィルタ３５ａ，３５ｂの素材との関係もあって、フィルタ駆動用ローラ５６ａ，５６ｂは比較的小型化するのが難しいため、清掃機構駆動部１５ｃがフィルタ清掃機構１５の厚みを増す要因となっている。
【００５７】
保持部１５ａ，１５ｂは、アーム１７及びアーム１７の間に渡されたブレード５３やビーム５９などによって構成されているフレーム１６からなる。フレーム１６は、通風を良くするため、ブレード５３やビーム５９のような細い部材を組み合わせて構成しているので、内部に空間が形成されており、この空間を有効に利用することにより、スペースの有効利用が図られている。すなわち、各保持部１５ａ，１５ｂには、それぞれフィルタ駆動用ローラ５２ａ，５２ｂを駆動するためのフィルタ駆動用モータ５６ａ，５６ｂが、正面視においてエアフィルタ３５ａ，３５ｂと重なる位置に設けられ、アーム１７に取り付けられている。また、フィルタ駆動用モータ５６ａは、図１１に示す上側案内溝１７ａと下側案内溝１７ｂの間に配置されている。言い換えると、フィルタ駆動用ローラ５２ａで移動方向を転換する前のエアフィルタ３５ａの位置と、フィル駆動用ローラ５２ａで移動方向を転換した後のエアフィルタ３５ａの位置との間に、フィルタ駆動用モータ５６ａが配置されていることになる。フレーム１６は、固定部１６ｃを本体ケーシング５にビス止めすることによって固定されている。中央の固定部１６ｃは図５に示した前面グリル１２のネジ穴２９に固定される。また、爪１６ｄを本体ケーシング５に差し込んでフレーム１６の後方の固定を行っている。
【００５８】
エアフィルタ３５ａを室内空気が通り抜けることから、フィルタ駆動用モータ５６ａがエアフィルタ３５ａと重なる部分で通風抵抗を生むため、フィルタ駆動用モータ５６ａは、フィルタ清掃機構１５の左端に配置して、できるだけエアフィルタ３５と重なる面積が少なくなるように取り付けられている。同様の理由から、フィルタ清掃機構１５の保持部１５ｂの左端にフィルタ駆動用モータ５６ｂが取り付けられている。フィルタ駆動用モータ５６ａ，５６ｂは、側面視において重なるように配置されている。また、図９に示すように吸込口６が上部にあり、吸込口６からクロスフローファン４０へ流れる室内空気が下方背面側に向かうため、フィルタ駆動用モータ５６ａ，５６ｂをフィルタ駆動用ローラ５２ａ，５２ｂに近づけて配置することにより、通風抵抗の軽減を図っている。
【００５９】
フィルタ駆動用モータ５６ａ，５６ｂが発生する駆動力は、複数のギアでフィルタ駆動用ローラ５２ａ，５２ｂに伝達される。フィルタ駆動用ローラ５２ａとフィルタ駆動用モータ５６ｂを繋ぐギアは、図１１に示すギアボックス５７の中に収められている。
【００６０】
フィルタ清掃機構１５には、エアフィルタ３５ａ，３５ｂの駆動以外に、図８及び図９に示したブラシ４７を駆動するためのブラシ駆動用モータ５８が設けられている。ブラシ駆動用モータ５８も、正面視において、エアフィルタ３５ａと重なる位置に配置されている。また、側面視において、ブラシ駆動用モータ５８は、フィルタ駆動用モータ５６ａ，５６ｂと重なる位置に配置されている。このブラシ駆動用モータ５８も清掃機構駆動部１５ｃに含まれる。
【００６１】
フィルタ構成機構１５のフレーム１６の下部には、フィルタ清掃部材１４に固定するための掛止突起１６ｂが設けられている。
【００６２】
（フィルタ清掃部材）
図１４はフィルタ清掃部材の分解図、図１５（ａ）はフィルタ清掃部材の正面図、図１５（ｂ）はフィルタ清掃部材の平面図、並びに図１６（ａ）、図１６（ｂ）、図１６（ｃ）、図１６（ｄ）及び図１６（ｅ）はそれぞれ図１５（ｂ）におけるＥ−Ｅ線、Ｆ−Ｆ線、Ｇ−Ｇ線、Ｈ−Ｈ線及びＩ−Ｉ線で切断した断面図である。フィルタ清掃部材１４は、ブラシ４７と、ブラシ４７を保持するブラシ側部材６０と、ブラシ側部材６０の蓋をする蓋部材６１とを備えている。蓋部材６１は、ブラシ側部材６０にヒンジ６５で回動自在に掛止されており、中央のロック部材６６により蓋を閉じた状態でブラシ側部材６０に固定される（図１５（ｂ）、図１６（ｃ）、図１６（ｅ））。ブラシ側部材６０と蓋部材６１は、組み合わせることで内部に塵埃を入れる空間を形成し、ダストボックス４９を構成する（図１８（ｂ）、図１６（ｄ））。ブラシ側部材６０の一辺には、ブラシ４７の長さに対応して櫛部の歯５０が並んでいる（図１４）。
【００６３】
ブラシ４７の軸６３は、ブラシ側部材６０の軸受け６２に回転自在に嵌め込まれている（図１６（ａ））。ブラシ４７の軸６３の両端には軸受け６３との間に遊びがないように軸受け６３の内径にほぼ等しい外径を有するキャップ部材６３ａが嵌め込まれている。ブラシ４７の軸６３は、撓み難い剛性の高い筒状のプラスチックや金属で形成されている。ブラシ４７の軸６３には、被駆動ギア６４が取り付けられている（図１５（ｂ）、図１６（ｂ））。この被駆動ギア６４は、フィルタ清掃部材１４をフィルタ清掃機構１５に固定することにより、駆動ギア５８と噛み合う。蓋部材６１には、円柱状の棒状部材５１が取り付けられており、この棒状部材５１にはギア６７が固定されている（図１４、図１５（ｂ））。棒状部材５１のギア６７は、ブラシ４７の被駆動ギア６４に連結されており、ブラシ４７の回転に連れて回転する。
【００６４】
ロック部材６６によりブラシ側部材６０への蓋部材６１が固定される。また、図９に示すように、係止突起１６ｂをロック部材１８ｃが掛止することによりフィルタ清掃部材１４がフレーム１６に直接固定される。ロック部材１８ａ，１８ｂ，１８ｄもロック部材１８ｃと同様に掛止突起１６ｂを掛止可能に構成されている。
【００６５】
（加湿ダクト）
次に、図９などに示した加湿ダクト２０について説明する。図１７（ａ）は加湿ダクトの正面図、図１７（ｂ）は加湿ダクトの側面図、図１８（ａ）は加湿ダクトの背面図、図１８（ｂ）は図１７（ａ）のＪ−Ｊ線断面図、及び図１９は図１８（ｂ）の状態からプレフィルタを抜き取ったときの加湿ダクトの分解断面図である。加湿ダクト２０の下部には円筒状の吸込口６１が設けられ、この吸込口６１に接続される加湿ホース（図示せず）により室外機３から加湿空気が供給される。加湿ダクト２０の上部には給気口５５が設けられており、吸込口６１と給気口５５の間にプレフィルタ２１が配置されている。吸込口６１が正面視において、左下に設けられているため、加湿空気の流れは、左斜め下から右斜め上に向かう。そのため、給気口５５を出た加湿空気は、本体ケーシング５の中では、正面５ｂから見て右方向に広がりやすい。給気口５５の中には、加湿ダクト２０内の結露を検出するための結露センサ７２が取り付けられている。
【００６６】
図１９に示すように、加湿ダクト２０は、内部に空洞部５４を設けるため、ダクト本体７３とダクト蓋７４とを組み合わせて構成されている。ダクト本体７３とダクト蓋７４に設けられている係止部７５の穴に突起７６を嵌合してダクト本体７３にダクト蓋７４を固定するとともに、ダクト本体７３とダクト蓋７４との当接部分を接着剤で止めて気密性を加湿ダクト２０に持たせている。図１９に示すように、加湿ダクト２０の内壁にリブ７７を形成して、プレフィルタ２１をプラスチック製の枠体７８に収めて抜き差し自在に装着できるように構成している。
【００６７】
（清掃機構駆動部と電装品箱の位置関係）
図２０及び図２１は、正面グリルを外した状態における室内機の正面図及び斜視図である。また、図２２は室内側熱交換器とフィルタ清掃機構との関係を説明するための正面図である。正面視において、図２０の斜線を施した領域を電装品箱４５が占めている。電装品箱４５の直上には、図２０に示すようにフィルタ清掃部材１４を装着する凹部２７があり、図２１に示すようにフィルタ清掃部材１４が装着される。さらにフィルタ清掃部材１４の上にはフィルタ清掃機構１５がある。つまり、フィルタ清掃機構１５のフィルタ駆動用ローラ５２ａ，５２ｂ及びフィルタ駆動用モータ５６ａ，５６ｂ（清掃機構駆動部１５ｃ）は、電装品箱４５の上方に設けられている。図８及び図１０などを用いて説明したように、清掃機構駆動部１５ｃを構成するフィルタ駆動用ローラ５２ａ及びフィルタ駆動用モータ５６ａ，５６ｂは、室内機２の中でも比較的大きな断面形状を有している。そのため、吹出口７と清掃機構駆動部１５ｃとの間に電装品箱４５を収める空間を作ると電装品箱４５と清掃機構駆動部１５ｃの奥行きを同じ程度にできるので室内機２内のスペースを有効に使うことができる。また、電装品箱４５とフィルタ駆動用モータ５６ａ，５６ｂとの距離を短くできるため、電装品箱４５とフィルタ駆動用モータ５６ａ，５６ｂとの間の配線の距離が短くなる。
【００６８】
正面から向かって電装品箱４５の右側に、交流電圧１００ボルト及び２００ボルトなどの商用電源給電用の端子盤が収められている電源ボックス８０が配置されている。電装品箱４５の電源も電源ボックス８０から供給される。室内機２の長手方向に沿って、電装品箱４５と並べて電源ボックス８０を配置することで、電装品箱４５への電源の供給距離が短くなるだけでなく、側面視において電源ボックス８０が電装品箱４５に重なる位置に配置されるため、スペースの有効利用が図られる。
【００６９】
正面から向かって電装品箱４５の左側に、加湿ダクト２０が配置されている。図９に示したように、加湿ダクト２０の奥行きも電装品箱４５とほぼ同じに設計され、側面視において、加湿ダクト２０が電装品箱４５に重なる位置に配置されるため、スペースの有効利用が図られる。
【００７０】
また、正面から向かって電装品箱４５の左側に、スピーカ８１が配置されている。スピーカ８１は、電装品箱４５と加湿ダクト２０との間に設けられ、スペースの有効利用が図られている。スピーカ８１が電装品箱４５に近いことから、スピーカと電装品箱４５との配線も短くなる。
【００７１】
＜変形例＞
（ａ）
上記実施の形態においては、図２０に示すように、正面視において、電装品箱４５が配置されている領域を上方に延長した領域内に清掃機構駆動部１５ｃが配置されている場合について説明した。しかし、清掃機構駆動部は必ずしも電装品箱４５が配置されている領域を上方に延長した領域内に存在する必要はなく、図２３（ａ）に示すように、電装品箱４５の上方にあれば、室内機２の長手方向にずれてもよい。壁に取り付ける室内機２は、小型化と外観の審美性の観点から一般的に長手方向で奥行きを変えることが少ないため、清掃機構駆動部１５ｃの下方に電装品箱４５があれば長手方向にずれてもスペースを有効に活用できる。
【００７２】
（ｂ）
上記（ａ）では電装品箱４５に対して、清掃機構駆動部１５ｃが正面視において長手方向にずれる場合も電装品箱４５の上方にあたることを説明したが、側面視において、電装品箱４５と清掃機構駆動部とが室内機２の奥行き方向でずれていてもよい。室内機２の前面の下方は、外観デザインのために側面視において大きく傾斜するように構成されることがある。この場合には、室内機２の前面に沿って電装品箱４５と清掃機構駆動部１５ｃを配置しても奥行き方向でずれて配置される。しかし、図２３（ｂ）に示すような場合であっても、前面から清掃機構駆動部の下方のスペースは、電装品箱４５によって有効に活用されており、本発明の効果を奏する。図２３（ｂ）のようにずれる場合には、本体ケーシング５の前面に近接するように電装品箱４５と清掃機構駆動部１５ｃとが配置されることが好ましい。
【００７３】
＜特徴＞
（１）
吹出口７の上方に電装品箱４５を、さらにその上方に清掃機構駆動部１５ｃを配置している。つまり、駆動力を供給するためにフィルタ駆動用ローラ５２ａ，５２ｂやフィルタ駆動用モータ５６ａ，５６ｂなどを含み、比較的大きな奥行きを必要とする清掃機構駆動部１５ｃの下方に電装品箱４５を配置する空間を設けている。このような清掃機構駆動部１５ｃの下方の空間を活用して比較的大きな容積を占める電装品箱４５を収納することで、スペースの有効活用を図っている。
【００７４】
一方、清掃機構駆動部１５ｃが上方へ移動することで室内機２の高さ方向にエアフィルタ３５ａ，３５ｂを縮小しなければならなくなっている。そのため、前面に吸込口がなくなり、室内空気を吸込み難くなる。また、エアフィルタ３５ａ，３５ｂの下辺が上に移動することで、室内側熱交換器３６の高さ方向で、熱交換される室内空気の流れにムラができる。このような清掃機構駆動部１５ｃの配置の変更に伴って前面の吸込口が小さくのなるのを、電装品箱４５のなくなった室内機２の側方に吸込口６や室内側熱交換器３６を広げることができる。それにより、吸込口６の面積や室内空気を熱交換する室内側熱交換器３６の有効面積を広げ、熱交換の性能の低下を抑制することができる。
【００７５】
（２）
清掃機構駆動部１５ｃ、特にフィルタ駆動用ローラ５２ａ，５２ｂよりも上方に吸込口６があるため、室内空気を吸込む際、清掃機構駆動部１５ｃが通風の邪魔にならず、吸込口６から吸込まれる室内空気の通風抵抗の増加を抑制できる。清掃機構駆動部１５ｃが前面パネル８に近いところに位置する一方、クロスフローファン４０が室内機３の背面側５ｄに配置されているので、例えば図８に示す断面においては右下方に室内空気が流されるため、特に通風抵抗の増加を抑制する効果が大きい。
【００７６】
（３）
電装品箱４５が室内側熱交換器３６の近傍に配置されることにより、例えば冷房時には室内側熱交換器３６の周囲の温度が低くなるので、始動時など電装品箱４５が温まっていない状態で周囲から冷やされる結露を起こす場合がある。ダストボックス４９が電装品箱４５の上にあることでダストボックス４９の断熱効果により、少なくとも電装品箱４５の上部は冷やされないので、電装品箱４５が冷やされ難くなる分だけ結露し難くなる。
【００７７】
（４）
電装品箱４５の上部から背面にかけて取り付けられている防滴カバー４６があるため、フィルタ清掃機構１５（清掃機構駆動部１５ｃ）やダストボックス４９などを伝って電装品箱４５に滴下する水滴をドレンパン４４に導くことができ、電装品箱４５に水滴が掛かることによって生ずる不具合を防ぐことができる。
【００７８】
（５）
フィルタ駆動用モータ５６ａ，５６ｂを正面視においてエアフィルタ３５ａ，３５ｂと重なる位置に配置することにより、室内機２の本体幅方向の長さをフィルタ駆動用モータ５６ａ，５６ｂの分だけ短くできる。図２１を図２４と比較して分かるように、室内機幅が同じであれば、室内側熱交換器３６を、室内機２の幅方向に延長することができる。つまり、図２１と図２４において、室内機幅Ｗ０が同じであれば、本発明のエアフィルタ幅Ｗ１（室内側熱交換器幅Ｗ２）＞従来のエアフィルタ幅Ｗ３（室内側熱交換器幅）となる。また、電装品箱４５とフィルタ駆動用モータ５６ａ，５６ｂとの距離が近くなり、配線が短くて済むので、ワイヤハーネスの引き回しが行いやすくなる。例えば、図１２に示すフレーム１６の桁８３を使って、フレームの桁８３に沿って貼り付けるなどしてワイヤハーネス（図示せず）を引き回すことができる。
【００７９】
（６）
クロスフローファン４０は、エアフィルタ３５ａ，３５ｂの下流側に配置されている。クロスフローファン４０の軸方向に沿って近接するように張り出している舌部４２は、吸込口６から吹出口７に至る通風路において高圧側と低圧側を形成する役割を担っており、舌部４２の表面４２ａは吸込口６から吸い込む室内空気の流れる方向を左右する。そのため、吸込口６の前端６ｂｆから舌部４２に延び舌部４２の表面４２ａと接する直線Ｌ１は、吸込口６からクロスフローファン４０に向かう室内空気の流れの比較的強い部分の最下部あたりを示している。
【００８０】
この直線Ｌ１よりも前にあることで、室内空気の流れの外にエアフィルタ３５ａ，３５ｂとブラシ４７の接点８２が存在することになる。このブラシ４７とエアフィルタ３５ａ，３５ｂの接点８２が直線Ｌ１より前方にあることから、この接点８２付近では室内空気の流れが弱まり、ブラシ４７で掻き落とされる塵埃が室内側熱交換器３６やクロスフローファン４０に吸込まれるのを抑制できる。また、元々室内空気の流れの弱いところにブラシ４７が置かれることとなるので、ブラシ４７が吸込口６から吸い込まれた室内空気の通風抵抗となるのを防止できる。
【００８１】
（７）
清掃機構駆動部１５ｃは、エアフィルタ３５ａ，３５ｂを移動させるフィルタ移動用ローラ５２ａ，５２ｂを有している。フィルタ移動用ローラ５２ａ，５２ｂは、縦断面視において直線Ｌ１よりも前側に配置されている。上述の（６）で説明したように、室内空気の流れの最下部と一致する直線Ｌ１よりも前にあることで、フィルタ移動用ローラ５２ａ，５２ｂが吸込口から吸い込まれた室内空気の通風抵抗となるのを防止できる。
【図面の簡単な説明】
【００８２】
【図１】本発明の一実施形態に係る空気調和装置の構成の概要を示す図。
【図２】本発明の一実施形態に係る空気調和装置の室内機の正面図。
【図３】図２のC方向から見た、前面パネルを取り外した室内機の斜視図。
【図４】図２のD方向から見た、前面パネルを取り外した室内機の斜視図。
【図５】図２に示す室内機の前面グリルの平面図。
【図６】図２に示す室内機の前面グリルの正面図。
【図７】図２に示す室内機の前面グリルの側面図。
【図８】図２におけるＡ−Ａ線断面図。
【図９】図２におけるＢ−Ｂ線断面図。
【図１０】フィルタ清掃機構の正面図。
【図１１】フィルタ清掃機構の側面図。
【図１２】フィルタ清掃機構の底面図。
【図１３】エアフィルタと清掃機構駆動部との関係の概略を示す概略図。
【図１４】フィルタ清掃部材の分解斜視図。
【図１５】（ａ）フィルタ清掃部材の正面図。（ｂ）フィルタ清掃部材の平面図。
【図１６】（ａ）フィルタ清掃部材のＥ−Ｅ線断面図。（ｂ）フィルタ清掃部材のＦ−Ｆ線断面図。（ｃ）フィルタ清掃部材のＧ−Ｇ線断面図。（ｄ）フィルタ清掃部材のＨ−Ｈ線断面図。（ｅ）フィルタ清掃部材のＩ−Ｉ線断面図。
【図１７】（ａ）加湿ダクトの正面図。（ｂ）  加湿ダクトの側面図。
【図１８】（ａ）加湿ダクトの背面図。（ｂ）  図１７（ａ）におけるＪ−Ｊ線断面図。
【図１９】図１８（ｂ）の加湿ダクトからプレフィルタを外した状態を示す分解断面図。
【図２０】正面グリルを取り外した室内機の正面図。
【図２１】正面グリルを取り外した室内機の斜視図。
【図２２】室内側熱交換器とフィルタ清掃機構との関係を説明するための正面図。
【図２３】（ａ）正面視におけるフィルタ駆動用ローラと電装品箱の配置関係を説明するための概念図。（ｂ）側面視におけるフィルタ駆動用ローラと電装品箱の配置関係を説明するための概念図。
【図２４】前面グリルを取り外した従来の室内機の斜視図。
【図２５】前面グリルを取り外した従来の室内機の断面図。
【符号の説明】
【００８３】
１  空気調和装置
２  室内機
３  室外機
６  吸込口
７  吹出口
８  前面パネル
１４  フィルタ清掃部材
１５  フィルタ清掃機構
１５ｃ  清掃機構駆動部
３５ａ，３５ｂ  エアフィルタ
３６  室内側熱交換器
４０  クロスフローファン
４２  舌部
４５  電装品箱
４６  防滴カバー
４９  ダストボックス
５２ａ，５２ｂ  フィルタ駆動用ローラ
５６ａ，５６ｂ  フィルタ駆動用モータ
【図１】
2010065893.tif 000003
【図２】
2010065893.tif 000004
【図３】
2010065893.tif 000005
【図４】
2010065893.tif 000006
【図５】
2010065893.tif 000007
【図６】
2010065893.tif 000008
【図７】
2010065893.tif 000009
【図８】
2010065893.tif 000010
【図９】
2010065893.tif 000011
【図１０】
2010065893.tif 000012
【図１１】
2010065893.tif 000013
【図１２】
2010065893.tif 000014
【図１３】
2010065893.tif 000015
【図１４】
2010065893.tif 000016
【図１５】
2010065893.tif 000017
【図１６】
2010065893.tif 000018
【図１７】
2010065893.tif 000019
【図１８】
2010065893.tif 000020
【図１９】
2010065893.tif 000021
【図２０】
2010065893.tif 000022
【図２１】
2010065893.tif 000023
【図２２】
2010065893.tif 000024
【図２３】
2010065893.tif 000025
【図２４】
2010065893.tif 000026
【図２５】
2010065893.tif 000027